(57)【要約】【課題】貨物自動車の荷箱のスライドドアにおいて、その断熱効果を高める。【解決手段】外側および内側ドア１，２の内方に追加外側ドアおよび内側ドア３，４が配置され、断熱材５が外側ドア１、内側ドア２、追加外側ドア３および追加内側ドア４に設けられる。さらに、外側ドア１と追加外側ドア３が間隔を置いて対向し、内側ドア２が外側ドア１と追加外側ドア３間に挿入され、内側ドア２と追加内側ドア４が間隔を置いて対向し、追加外側ドア３が内側ドア２と追加内側ドア４間に挿入される。【選択図】図１
0003129965.tif 000002
【実用新案登録請求の範囲】
【請求項１】
外側および内側ドアの内方に追加外側および内側ドアが配置され、断熱材が前記外側ドア、内側ドア、追加外側ドアおよび追加内側ドアに設けられ、前記外側ドアと追加外側ドアが間隔を置いて対向し、前記内側ドアが前記外側ドアと追加外側ドア間に挿入され、前記内側ドアと追加内側ドアが間隔を置いて対向し、前記追加外側ドアが前記内側ドアと追加内側ドア間に挿入され、前記外側ドア、内側ドア、追加外側ドアおよび追加内側ドアの幅方向一端において、外側ドア結合材によって前記外側ドアと追加外側ドアが結合され、幅方向他端において、内側ドア結合材によって前記内側ドアと追加内側ドアが結合されていることを特徴とする貨物自動車の荷箱のスライドドア。
【請求項２】
前記外側ドア、内側ドア、追加外側ドアおよび追加内側ドアは二重壁のもので、前記断熱材は二重壁間に挿入されていることを特徴とする請求項１に記載のスライドドア。
【請求項３】
前記外側ドアの幅方向一端から一定範囲の領域に限り、前記外側ドアに前記断熱材がなく、前記外側ドアは二重壁ではなく、その内面に段差が形成され、前記内側ドアの幅方向他端から一定範囲の領域に限り、前記内側ドアに前記断熱材がなく、前記内側ドアは二重壁ではなく、その内面に段差が形成され、前記各段差によって空所が形成され、その空所にロッドが配置され、前記ロッドによってドアロック機構が構成されていることを特徴とする請求項２に記載のスライドドア。
【請求項４】
前記外側および内側ドアの内面にスポンジ材が貼られ、前記追加外側および内側ドアの外面にスポンジ材が貼られていることを特徴とする請求項１〜３に記載のスライドドア。
【考案の詳細な説明】
【技術分野】
【０００１】
この考案は、冷蔵車などの貨物自動車の荷箱のスライドドアに関するものである。
【背景技術】
【０００２】
貨物自動車の荷箱のスライドドアとして外側および内側ドアからなるスライドドアが使用されている。普通、外側および内側ドアの幅方向一端において、ハンドルが外側ドアに設けられ、幅方向他端において、ハンドルが内側ドアに設けられる。したがって、ハンドルによって内側ドアを開き、閉じることができ、ハンドルによって外側ドアを開き、閉じることもできる（特許文献１参照）。
【０００３】
ところで、特に、冷蔵車の場合、荷箱のスライドドアに断熱作用をもたせることが要求され、断熱材が外側および内側ドアに設けられることもある。しかしながら、その断熱効果は十分ではなく、改良が強く要望されている。
【０００４】
したがって、この考案は、貨物自動車の荷箱のスライドドアにおいて、その断熱効果を高めることを目的としてなされたものである。
【特許文献１】特開２０００−２４７２６４号公報
【考案の開示】
【０００５】
この考案によれば、外側および内側ドアの内方に追加外側および内側ドアが配置され、断熱材が外側ドア、内側ドア、追加外側ドアおよび追加内側ドアに設けられる。さらに、外側ドアと追加外側ドアが間隔を置いて対向し、内側ドアが外側ドアと追加外側ドア間に挿入される。さらに、内側ドアと追加内側ドアが間隔を置いて対向し、追加外側ドアが内側ドアと追加内側ドア間に挿入される。さらに、外側ドア、内側ドア、追加外側ドアおよび追加内側ドアの幅方向一端において、外側ドア結合材によって外側ドアと追加外側ドアが結合され、幅方向他端において、内側ドア結合材によって内側ドアと追加内側ドアが結合される。
【０００６】
好ましい実施例では、外側ドア、内側ドア、追加外側ドアおよび追加内側ドアは二重壁のもので、断熱材は二重壁間に挿入される。
【０００７】
さらに、外側ドアの幅方向一端から一定範囲の領域に限り、外側ドアに断熱材はなく、外側ドアは二重壁ではない。そして、その内面に段差が形成される。同様に、内側ドアの幅方向他端から一定範囲の領域に限り、内側ドアに断熱材はなく、内側ドアは二重壁ではない。そして、その内面に段差が形成される。さらに、各段差によって空所が形成され、その空所にロッドが配置され、ロッドによってドアロック機構が構成される。
【０００８】
さらに、外側および内側ドアの内面にスポンジ材が貼られ、追加外側および内側ドアの外面にスポンジ材が貼られる。
【考案を実施するための最良の形態】
【０００９】
以下、この考案の実施例を説明する。
【００１０】
図１はこの考案にかかるスライドドアを示す。このスライドドアは冷蔵車の荷箱のスライドドアであり、二重構造のもので、外側および内側ドア１，２の他に、追加外側および内側ドア３，４を有する。そして、外側および内側ドア１，２の内方に追加外側および内側ドア３，４が配置され、断熱材５が外側ドア１、内側ドア２、追加外側ドア３および追加内側ドア４に設けられている。外側ドア１、内側ドア２、追加外側ドア３および追加内側ドア４はアルミニウムなどの金属製であり、二重壁のもので、断熱材５は二重壁間に挿入されている。
【００１１】
さらに、図５に示すように、外側ドア１と追加外側ドア３が間隔を置いて対向し、内側ドア２が外側ドア１と追加外側ドア３間に挿入されている。さらに、内側ドア２と追加内側ドア４が間隔を置いて対向し、追加外側ドア３が内側ドア２と追加内側ドア４間に挿入されている。さらに、外側ドア１、内側ドア２、追加外側ドア３および追加内側ドア４の幅方向一端において、ハンドル６が外側ドア１に設けられ、外側ドア結合材７によって外側ドア１と追加外側ドア３が結合され、幅方向他端において、ハンドル８が内側ドア２に設けられ、内側ドア結合材９によって内側ドア２と追加内側ドア４が結合されている。結合材７は金属製のもので、外側ドア１と追加外側ドア３間に配置され、外側ドア１および追加外側ドア３にねじ止めされている。結合材９も金属製のもので、内側ドア２と追加内側ドア４間に配置され、内側ドア２および追加内側ドア４にねじ止めされている。
【００１２】
さらに、図４に示すように、外側ドア１、内側ドア２、追加外側ドア３および追加内側ドア４の上方にガイドレール１０が配置されており、下方にガイドレール１１が配置されている。ガイドレール１０は４列のレールからなり、外側ドア１、内側ドア２、追加外側ドア３および追加内側ドア４の幅方向にのびる。さらに、各レール１０にそれぞれコロ１２が係合し、各コロ１２が外側ドア１、内側ドア２、追加外側ドア３および追加内側ドア４に連結され、各コロ１２によって外側ドア１、内側ドア２、追加外側ドア３および追加内側ドア４が吊られ、支持されている。ガイドレール１１も４列のレールからなり、外側ドア１、内側ドア２、追加外側ドア３および追加内側ドア４の幅方向にのびる。そして、外側ドア１、内側ドア２、追加外側ドア３および追加内側ドア４が各レール１１にはめ合わされており、各レール１１によって外側ドア１、内側ドア２、追加外側ドア３および追加内側ドア４がガイドされる。
【００１３】
したがって、ハンドル６，８によって外側および内側ドア１，２を操作し、外側および内側ドア１，２をガイドレール１０，１１に沿ってスライドさせ、移動させることができる。さらに、内側ドア２をガイドレール１０，１１に沿ってスライドさせると、内側ドア結合材９によって追加内側ドア４が引っ張られ、追加内側ドア４がガイドレール１０，１１に沿ってスライドし、移動する。したがって、図２、図６および図７に示すように、ハンドル８によって内側ドア２および追加内側ドア４を開くことができる。ハンドル８によって内側ドア２および追加内側ドア４を閉じることもできる。さらに、外側ドア１をガイドレール１０，１１に沿ってスライドさせると、外側ドア結合材７によって追加外側ドア３が引っ張られ、追加外側ドア３がガイドレール１０，１１に沿ってスライドし、移動する。したがって、図３に示すように、ハンドル６によって外側ドア１および追加外側ドア３を開くことができる。ハンドル６によって外側ドア１および追加外側ドア３を閉じることもできる。
【００１４】
さらに、この実施例では、外側ドア１の幅方向一端において、外側ドア１が前壁１３に対向し、クッション材１４が前壁１３に設けられており、幅方向他端において、外側ドア１の内面にブラシ１５が設けられている。さらに、内側ドア２の幅方向一端において、その外面にブラシ１５が設けられ、幅方向他端において、内側ドア２が後壁１６に対向し、クッション材１４が後壁１６に設けられている。したがって、閉じられたとき、外側および内側ドア１，２がクッション材１４に押し付けられ、クッション材１４によって外側ドア１と前壁１３間が密閉され、内側ドア２と後壁１６間が密閉される。クッション材１４はゴム製のものである。さらに、ブラシ１５の位置において、外側ドア１と内側ドア２が部分的に重なり、そのブラシ１５が互いにかみ合い、ブラシ１５によって外側ドア１と内側ドア２間が密封される。さらに、追加外側ドア３の幅方向一端にクッション材１７が設けられ、幅方向他端において、その内面にブラシ１５が設けられており、追加内側ドア４の幅方向一端において、その外面にブラシ１５が設けられ、幅方向他端にクッション材１７が設けられている。したがって、閉じられたとき、クッション材１７が前壁１３および後壁１６に押し付けられ、クッション材１７によって追加外側ドア３と前壁１３間が密閉され、追加内側ドア４と後壁１６間が密閉される。クッション材１７はゴム製のものである。さらに、ブラシ１５の位置において、追加外側ドア３と追加内側ドア４が部分的に重なり、そのブラシ１５が互いにかみ合い、ブラシ１５によって追加外側ドア３と追加内側ドア４間が密閉される。
【００１５】
さらに、外側ドア１の幅方向一端から一定範囲に限り、外側ドア１に断熱材５がなく、外側ドア１は二重壁ではない。そして、その内面に段差１８が形成されている。同様に、内側ドア２の幅方向他端から一定範囲に限り、内側ドア２に断熱材５がなく、内側ドア２は二重壁ではない。そして、その内面に段差１８が形成されている。さらに、各段差１８によって空所が形成され、その空所にロッド１９が配置され、ロッド１９によってドアロック機構が構成されている。ドアロック機構は外側および内側ドア１，２に取り付けられたラッチを有する。そして、ロッド１９によってハンドル６，８とラッチが連結されており、ハンドル６，８によってラッチを操作し、外側および内側ドア１，２をガイドレール１０にロックすることができる。その構造の詳細は知られており、説明は省略する。
【００１６】
この他、この実施例では、外側ドア１および内側ドア２の内面にスポンジ材２０が貼られ、追加外側ドア３および追加内側ドア４の外面にスポンジ材２０が貼られている。
【００１７】
したがって、このスライドドアの場合、それが閉じられたとき、外側ドア１および内側ドア２だけではなく、追加外側ドア３および追加内側ドア４によって外気が遮断され、断熱作用が生じる。しかも、断熱材５が外側ドア１、内側ドア２、追加外側ドア３および追加内側ドア４に設けられており、断熱材５によって断熱作用が生じる。さらに、外側ドア１と追加外側ドア３が間隔を置いて対向し、内側ドア２と追加内側ドア４が間隔を置いて対向し、外側ドア１と追加外側ドア３間において、空気層によって断熱作用が生じ、内側ドア２と追加内側ドア４間において、空気層によって断熱作用が生じ、その断熱効果は高い。
【００１８】
さらに、内側ドア２を外側ドア１と追加外側ドア３間に挿入し、追加外側ドア３を内側ドア２と追加内側ドア４間に挿入すればよく、外側ドア１と追加外側ドア３を間隔を置いて対向させ、内側ドア２と追加内側ドア４を間隔を置いて対向させるとき、各間隔を同一の大きさに選定することができる。したがって、その空気層に同一の厚さをもたせ、スライドドアの全幅にわたって均一の断熱作用が得られるようにすることができる。
【００１９】
さらに、ドアロック機構については、各段差１８によって空所が形成され、その空所にロッド１９が配置されていることは前述したとおりであり、スライドドアを開くとき、ロッド１９によってそれが阻害されることはない。外側ドア１と追加外側ドア３を間隔を置いて対向させ、内側ドア２と追加内側ドア４を間隔を置いて対向させるとき、各間隔を大きく選定する必要もない。さらに、結合材７，９が外側ドア１、内側ドア２、追加外側ドア３および追加内側ドア４にねじ止めされていることは前述したとおりであるが、ロッド１９などのドアロック機構にメンテナンスを施すとき、ねじによって結合材７，９を取り外すと、追加外側および内側ドア３，４を外側および内側ドア１，２から分離させることができる。したがって、追加外側および内側ドア３，４をガイドレール１０，１１に沿ってスライドさせ、開き、荷箱内からメンテナンスを施すことができ、便宜である。追加外側および内側ドア３，４をガイドレール１０，１１から取り外す必要はない。
【００２０】
この他、外側ドア１、内側ドア２、追加外側ドア３および追加内側ドア４間において、外側および内側ドア２の内面に結露が生じ、追加外側ドア３および追加内側ドア４の外面に結露が生じるおそれがあるが、スポンジ材２０によってそれを防止または軽減することもできる。
【図面の簡単な説明】
【００２１】
【図１】この考案の実施例を示す平面断面図である。
【図２】図１の内側ドアおよび追加内側ドアが開かれた状態を示す平面断面図である。
【図３】図１の外側ドアおよび追加外側ドアが開かれた状態を示す平面断面図である。
【図４】図１のスライドドアの正面断面図である。
【図５】図１のスライドドアの説明図である。
【図６】図５のスライドドアが開かれる状態を示す説明図である。
【図７】図６のスライドドアが開かれた状態を示す説明図である。
【符号の説明】
【００２２】
１  外側ドア
２  内側ドア
３  追加外側ドア
４  追加内側ドア
５  断熱材
７  外側ドア結合材
９  内側ドア結合材
１８  段差
１９  ロッド
２０  スポンジ材
【図１】
0003129965.tif 000003
【図２】
0003129965.tif 000004
【図３】
0003129965.tif 000005
【図４】
0003129965.tif 000006
【図５】
0003129965.tif 000007
【図６】
0003129965.tif 000008
【図７】
0003129965.tif 000009